(57)【要約】【課題】機器の操作性能を観察者に分かりやすく指示するための表示を行うことを可能とする表示装置及び表示方法を提供する。【解決手段】表示装置１００は、観察者の動作を検出する検出ユニット１１０と、検出ユニットによって検出された動作に応じて、所定操作を実行する操作制御部１２０と、観察者が動作を開始すべき位置を示す指標画像を表示画像とともに表示する表示制御部１４０とを備える。【選択図】図１
2013080333.tif 000002
【特許請求の範囲】
【請求項１】
入力信号に基づいて表示画像を表示する表示装置であって、
観察者の動作を検出する検出ユニットと、
前記検出ユニットによって検出された動作に応じて、所定操作を実行する操作制御部と、
観察者が動作を開始すべき位置を示す指標画像を前記表示画像とともに表示する表示制御部とを備えることを特徴とする表示装置。
【請求項２】
前記表示制御部は、前記指標画像によって示される位置に観察者の一部が位置することが前記検出ユニットによって検出された場合に、前記指標画像を縮小することを特徴とする請求項１に記載の表示装置。
【請求項３】
前記表示制御部は、前記指標画像によって示される位置に観察者の一部が位置することが前記検出ユニットによって検出された場合に、前記指標画像の表示を中止することを特徴とする請求項１に記載の表示装置。
【請求項４】
前記指標画像は、前記指標画像によって示される位置に観察者の一部が位置する場合に、観察者の一部によって観察者から隠れる位置に表示されることを特徴とする請求項１に記載の表示装置。
【請求項５】
前記指標画像は、前記指標画像によって示される位置に観察者の一部が位置する場合に、観察者の一部によって観察者から隠れるサイズで表示されることを特徴とする請求項１に記載の表示装置。
【請求項６】
前記指標画像は、立体画像であり、
前記指標画像は、前記指標画像によって示される位置に表示されることを特徴とする請求項１に記載の表示装置。
【請求項７】
前記表示制御部は、前記指標画像によって示される位置に観察者の一部が位置することが前記検出ユニットによって検出された場合に、前記所定操作に対応付けられた観察者の動作をガイドするガイド画像を表示することを特徴とする請求項１に記載の表示装置。
【請求項８】
観察者を検出する検出ユニットと、前記検出ユニットによって検出された結果に応じて、所定操作を実行する操作制御部とを備え、入力信号に基づいて表示画像を表示する表示装置であって、
前記検出ユニットの検出範囲において観察者が検出されたときに、観察者が動作を開始すべき位置を示す指標画像を前記表示画像とともに表示し、
前記指標画像によって示される位置に観察者の一部が位置することが検出されたときに、前記所定操作に対応付けられた観察者の動作をガイドするガイド画像を前記表示画像とともに表示することを特徴とする表示装置。
【請求項９】
観察者を検出する検出ユニットと、前記検出ユニットによって検出された結果に応じて、所定操作を実行する操作制御部とを備え、入力信号に基づいて表示画像を表示する表示装置に適用される表示方法であって、
前記検出ユニットの検出範囲において観察者が検出されたときに、観察者が動作を開始すべき位置を示す指標画像を前記表示画像とともに表示するステップと、
前記指標画像によって示される位置に観察者の一部が位置することが検出されたときに、前記所定操作に対応付けられた観察者の動作をガイドするガイド画像を前記表示画像とともに表示するステップとを備えることを特徴とする表示方法。
【発明の詳細な説明】
【技術分野】
【０００１】
本発明は、入力信号に基づいて表示画像を表示する表示装置及び表示方法に関する。
【背景技術】
【０００２】
従来、光源から出射される光を変調する光変調素子から出射される光を投写面上に投写する投写ユニットとを備える投写型映像表示装置などの表示装置が知られている。
【０００３】
近年では、観察者の動作を検出することによって、インタラクティブ機能を提供する技術が提案されている。このような技術では、所定の動作が検出された場合に、機器に対して所定の入力信号が入力される（例えば、特許文献１）。
【先行技術文献】
【特許文献】
【０００４】
【特許文献１】特開２０１１−３９８４４号公報
【発明の概要】
【発明が解決しようとする課題】
【０００５】
近年では、観察者の動作を検出する精度が向上しているが、機器の操作性能を観察者が直感的に理解して的確な動作を行うことは難しい。
【０００６】
そこで、本発明は、上述した課題を解決するためになされたものであり、機器の操作性能を観察者に分かりやすく指示するための表示を行うことを可能とする表示装置及び表示方法を提供する。
【課題を解決するための手段】
【０００７】
第１の特徴に係る表示装置は、入力信号に基づいて表示画像を表示する。表示装置は、観察者の動作を検出する検出ユニットと、前記検出ユニットによって検出された動作に応じて、所定操作を実行する操作制御部と、観察者が動作を開始すべき位置を示す指標画像を前記表示画像とともに表示する表示制御部とを備える。
【０００８】
第１の特徴において、前記表示制御部は、前記指標画像によって示される位置に観察者の一部が位置することが前記検出ユニットによって検出された場合に、前記指標画像を縮小する。
【０００９】
第１の特徴において、前記表示制御部は、前記指標画像によって示される位置に観察者の一部が位置することが前記検出ユニットによって検出された場合に、前記指標画像の表示を中止する。
【００１０】
第１の特徴において、前記指標画像は、前記指標画像によって示される位置に観察者の一部が位置する場合に、観察者の一部によって観察者から隠れる位置に表示される。
【００１１】
第１の特徴において、前記指標画像は、前記指標画像によって示される位置に観察者の一部が位置する場合に、観察者の一部によって観察者から隠れるサイズで表示される。
【００１２】
第１の特徴において、前記指標画像は、立体画像である。前記指標画像は、前記指標画像によって示される位置に表示される。
【００１３】
第１の特徴において、前記表示制御部は、前記指標画像によって示される位置に観察者の一部が位置することが前記検出ユニットによって検出された場合に、前記所定操作に対応付けられた観察者の動作をガイドするガイド画像を表示する。
【００１４】
第２の特徴に係る表示装置は、観察者を検出する検出ユニットと、前記検出ユニットによって検出された結果に応じて、所定操作を実行する操作制御部とを備え、入力信号に基づいて表示画像を表示する。表示装置は、前記検出ユニットの検出範囲において観察者が検出されたときに、観察者が動作を開始すべき位置を示す指標画像を前記表示画像とともに表示し、前記指標画像によって示される位置に観察者の一部が位置することが検出されたときに、前記所定操作に対応付けられた観察者の動作をガイドするガイド画像を前記表示画像とともに表示する。
【００１５】
第３の特徴に係る表示方法は、観察者を検出する検出ユニットと、前記検出ユニットによって検出された結果に応じて、所定操作を実行する操作制御部とを備え、入力信号に基づいて表示画像を表示する表示装置に適用される。表示方法は、前記検出ユニットの検出範囲において観察者が検出されたときに、観察者が動作を開始すべき位置を示す指標画像を前記表示画像とともに表示するステップと、前記指標画像によって示される位置に観察者の一部が位置することが検出されたときに、前記所定操作に対応付けられた観察者の動作をガイドするガイド画像を前記表示画像とともに表示するステップとを備える。
【発明の効果】
【００１６】
本発明によれば、機器の操作性能を観察者に分かりやすく指示するための表示を行うことを可能とする表示装置及び表示方法を提供することができる。
【図面の簡単な説明】
【００１７】
【図１】図１は、第１実施形態に係る表示装置１００を示す図である。
【図２】図２は、第１実施形態に係る指標画像を説明するための図である。
【図３】図３は、第１実施形態に係る指標画像を説明するための図である。
【図４】図４は、第１実施形態に係る指標画像を説明するための図である。
【図５】図５は、第１実施形態に係る指標画像を説明するための図である。
【図６】図６は、第１実施形態に係る指標画像を説明するための図である。
【図７】図７は、第１実施形態に係る指標画像を説明するための図である。
【図８】図８は、第１実施形態に係るガイド画像を説明するための図である。
【図９】図９は、第１実施形態に係るガイド画像を説明するための図である。
【図１０】図１０は、第１実施形態に係るガイド画像を説明するための図である。
【図１１】図１１は、第１実施形態に係る表示方法を示すフロー図である。
【図１２】図１２は、変更例２に係る指示画像を説明するための図である。
【図１３】図１３は、変更例２に係る指示画像を説明するための図である。
【図１４】図１４は、変更例２に係る指示画像を説明するための図である。
【図１５】図１５は、変更例２に係る指示画像を説明するための図である。
【図１６】図１６は、変更例３に係る表示方法を示すフロー図である。
【図１７】図１７は、変更例４に係る表示装置１００を示す図である。
【発明を実施するための形態】
【００１８】
以下において、本発明の実施形態に係る表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る表示装置は、入力信号に基づいて表示画像を表示する。表示装置は、観察者の動作を検出する検出ユニットと、前記検出ユニットによって検出された動作に応じて、所定操作を実行する操作制御部と、観察者が動作を開始すべき位置を示す指標画像を前記表示画像とともに表示する表示制御部とを備える。
【００２１】
実施形態では、表示制御部は、観察者が動作を開始すべき位置を示す指標画像を表示する。言い換えると、表示制御部は、インタラクティブ操作を開始するための動作を開始すべき位置を示す指標画像を表示する。従って、観察者は、表示装置の操作性能を直感的に理解することが可能である。このように、指標画像の表示によって、観察者に分かりやすく表示装置の操作性能を指示する表示が実現される。
【００２２】
なお、実施形態では、複数の視点画像（例えば、左目視点画像及び右目視点画像）によって構成される立体画像を表示する表示装置について例示する。また、実施形態では、表示装置として、床面に映像を投写する投写型映像表示装置を例示する。
【００２３】
［第１実施形態］
（表示装置の構成）
以下において、第１実施形態に係る表示装置について説明する。図１は、第１実施形態に係る表示装置１００を示す図である。
【００２４】
表示装置１００は、検出ユニット１１０と、操作制御部１２０と、取得部１３０と、表示制御部１４０と、表示部１５０とを有する。
【００２５】
なお、第１実施形態では、表示装置１００は、床面（水平面）などに映像を投写する投写型映像表示装置である。また、表示装置１００は、立体画像を表示する。例えば、表示装置１００は、左目視点画像及び右目視点画像を１２０Ｈｚで切替えながら交互に表示する。また、第１実施形態では、アクティブシャッタメガネが用いられる。
【００２６】
検出ユニット１１０は、検出範囲内に存在する観察者を検出する。また、検出ユニット１１０は、検出範囲内に存在する観察者の動作を検出する。第１実施形態では、検出ユニット１１０は、３次元空間において、検出ユニット１１０と検出対象との間の距離を測定可能なユニットである。検出ユニット１１０は、例えば、赤外ＬＥＤ及び撮像素子によって構成されており、赤外ＬＤＥから光が出射されてから、検出対象で反射された光が撮像素子で検出されるまでの時間に基づいて、検出ユニット１１０と検出対象との距離を測定する。但し、検出ユニット１１０は、このような素子に限定されず、観察者の動作を検出可能な素子であればよい。
【００２７】
第１実施形態において、検出ユニット１１０は、観察者の目の位置或いは観察者の頭部の位置を検出する。なお、頭部の位置によって目の位置が推定可能である。
【００２８】
操作制御部１２０は、検出ユニット１１０によって検出された動作に応じて、所定操作を実行する。第１実施形態において、所定操作は、表示装置に対する操作であり、例えば、表示装置によって表示される画像に対する操作（画像の回転、画像の切替など）である。
【００２９】
詳細には、所定動作と所定操作とが予め対応付けられており、検出ユニット１１０によって所定動作が検出された場合に、操作制御部１２０は、所定操作を実行する。
【００３０】
なお、以下において、検出ユニット１１０によって検出された動作に応じて実行される操作をインタラクティブ操作と称する。
【００３１】
第１実施形態において、検出ユニット１１０は、表示装置１００を構成する投写型映像表示装置の本体とは別体として設けられる。また、検出ユニット１１０が表示装置１００の一部であるケースについて例示するが、検出ユニット１１０は、必ずしも表示装置１００の一部ではなくてもよい。
【００３２】
取得部１３０は、立体画像（左目視点画像及び右目視点画像）を構成する入力信号を取得する。例えば、取得部１３０は、テレビチューナ、ＤＶＤプレーヤ或いはパーソナルコンピュータなどの装置から入力信号を取得する。
【００３３】
表示制御部１４０は、各種画像を表示部１５０に表示する。第１に、表示制御部１４０は、取得部１３０によって取得された表示画像に基づいて、表示画像を表示部１５０に表示する。第２に、表示制御部１４０は、インタラクティブ操作に対応付けられた動作を観察者が開始すべき位置を示す指標画像を表示する。第３に、表示制御部１４０は、インタラクティブ操作に対応付けられた観察者の動作をガイドするガイド画像を表示部１５０に表示する。
【００３４】
なお、表示制御部１４０は、表示画像とともに指標画像を表示することが好ましい。表示制御部１４０は、表示画像とともにガイド画像を表示することが好ましい。表示制御部１４０は、表示画像及び指標画像とともにガイド画像を表示してもよい。
【００３５】
第１実施形態において、表示制御部１４０は、検出ユニット１１０の検出範囲において観察者が検出されたときに指標画像を表示し、指標画像によって示される位置に観察者の一部（以下、手）が位置することが検出されたときにガイド画像を表示する。
【００３６】
なお、指標画像によって示される位置に観察者の一部（例えば、手）が位置することは、検出ユニット１１０によって検出されることは勿論である。
【００３７】
第１実施形態においては、指標画像及びガイド画像は、立体画像である。ここで、指標画像（又は、ガイド画像）は、指標画像（又は、ガイド画像）が表示される位置（例えば、床面などの投写面）と観察者との間に指標画像が見えるように表示されればよい。
【００３８】
表示制御部１４０は、指標画像によって示される位置に観察者の一部が位置することが検出された場合に、指標画像の表示形態を変更してもよい。例えば、表示制御部１４０は、指標画像によって示される位置に観察者の一部が位置することが検出された場合に、指標画像を縮小してもよい。或いは、表示制御部１４０は、指標画像によって示される位置に観察者の一部が位置することが検出された場合に、指標画像の表示を中止してもよい。或いは、表示制御部１４０は、指標画像によって示される位置に観察者の一部が位置することが検出された場合に、指標画像の色を変更してもよい。或いは、表示制御部１４０は、指標画像によって示される位置に観察者の一部が位置することが検出された場合に、指標画像の透過率を変更してもよい。
【００３９】
表示部１５０は、表示制御部１４０の制御に従って画像を表示する。例えば、表示装置１００が投写型映像表示装置である第１実施形態では、表示部１５０は、光変調素子や投写ユニットである。
【００４０】
（指標画像）
以下において、第１実施形態に係る指標画像について説明する。図２〜図５は、指標画像について説明するための図である。
【００４１】
図２に示すように、インタラクティブ操作を開始すべき位置（以下、開始位置２００Ｘ）は、観察者の目と投写面との間に存在する。例えば、インタラクティブ操作を開始するためには、観察者の一部（手）が開始位置２００Ｘに位置することが必要である。
【００４２】
ここで、開始位置２００Ｘに手が位置することを想定すると、「左目から見えない画像上の領域」及び「右目から見えない画像上の領域」が存在する。
【００４３】
ここで、指標画像は、指標画像によって示される位置に観察者の一部（手）が位置する場合に、観察者の一部によって観察者から隠れる位置に表示されることが好ましい。また、指標画像は、指標画像によって示される位置に観察者の一部（手）が位置する場合に、観察者の一部によって観察者から隠れるサイズで表示されることが好ましい。
【００４４】
なお、「観察者の一部によって観察者から隠れる状態」とは、観察者の一部が開始位置２００Ｘに位置する場合において、指標画像の少なくとも半分が観察者から見えない状態である。
【００４５】
従って、図３に示すように、指標画像１０Ｘを構成する指標画像１０Ｌは、投写面上において「左目から見えない画像上の領域」に表示されることが好ましい。但し、指標画像１０Ｌの一部が「左目から見えない画像上の領域」からはみ出してもよい。同様に、指標画像１０Ｘを構成する指標画像１０Ｒは、「右目から見えない画像上の領域」に表示されることが好ましい。但し、指標画像１０Ｒの一部が「左目から見えない画像上の領域」からはみ出してもよい。結果として、観察者の一部（手）が開始位置２００Ｘに位置する場合には、指標画像１０Ｘは、観察者から隠れるように表示される。
【００４６】
ここで、指標画像１０Ｘは、図４及び図５に示すように、指標画像１０Ｘによって示される開始位置２００Ｘに表示されてもよい。或いは、指標画像１０Ｘは、図６及び図７に示すように、開始位置２００Ｘと投写面との間に表示されてもよい。例えば、図４〜図７に示すように、指標画像１０Ｘは、手の画像である。
【００４７】
なお、観察者が立位である場合には、指標画像１０Ｘは、観察者の身長の１／４ほど観察者の手前であり、かつ、観察者の身長の３／４の高さに表示されることが好ましい。
【００４８】
また、指標画像１０Ｌ及び指標画像１０Ｒは、図４〜図７に示すように、表示画像２０とともに表示される。
【００４９】
（ガイド画像）
以下において、第１実施形態に係るガイド画像について説明する。図８〜図１０は、指標画像について説明するための図である。
【００５０】
図８〜図１０に示すように、ガイド画像３０Ｘは、指標画像１０Ｘと同レベルの立体度で観察されることが好ましい。言い換えると、ガイド画像３０Ｘを構成する各視点画像（ガイド画像３０Ｌ及びガイド画像３０Ｒ）の視差は、指標画像１０Ｘを構成する各視点画像（指標画像１０Ｌ及び指標画像１０Ｒ）の視差と同レベルであることが好ましい。例えば、ガイド画像３０Ｘは、図８〜図１０に示すように、矢印の画像である。
【００５１】
また、図８に示すように、ガイド画像３０Ｘを構成するガイド画像３０Ｌは、投写面上において左目から見える領域に表示されることが好ましい。同様に、ガイド画像３０Ｘを構成するガイド画像３０Ｒは、右目から見える領域に表示されることが好ましい。
【００５２】
（表示方法）
以下において、第１実施形態に係る表示方法について説明する。図１１は、第１実施形態に係る表示方法を示すフロー図である。
【００５３】
図１１に示すように、ステップ１０において、表示装置１００は、検出ユニット１１０が検出範囲内で観察者を検出したか否かを判定する。表示装置１００は、判定結果が“ＹＥＳ”である場合には、ステップ２０の処理に移る。一方で、表示装置１００は、判定結果が“ＮＯ”である場合には、検出範囲内における観察者の検出を待機する。
【００５４】
ステップ２０において、表示装置１００は、観察者が動作を開始すべき位置を示す指標画像を表示画像とともに表示する。
【００５５】
ステップ３０において、表示装置１００は、観察者が手を指標画像と重なるように差し出したか否かを判定する。言い換えると、表示装置１００は、指標画像によって示される位置にユーザの一部（手）が位置することが検出されたか否かを判定する。表示装置１００は、判定結果が“ＹＥＳ”である場合には、ステップ４０の処理に移る。一方で、表示装置１００は、判定結果が“ＮＯ”である場合には、指標画像によって示される位置にユーザの一部（手）が位置することの検出を待機する。
【００５６】
ステップ４０において、表示装置１００は、インタラクティブ操作に対応付けられた観察者の動作をガイドするガイド画像を表示する。
【００５７】
ステップ５０において、表示装置１００は、ガイド画像に従って観察者が動作したか否かを判定する。表示装置１００は、判定結果が“ＹＥＳ”である場合には、ステップ７０の処理に移る。一方で、表示装置１００は、判定結果が“ＮＯ”である場合には、ステップ６０の処理に移る。
【００５８】
ステップ６０において、表示装置１００は、検出ユニット１１０が検出範囲内に観察者が存在するか否かを判定する。表示装置１００は、判定結果が“ＹＥＳ”である場合には、ステップ３０の処理に戻る。一方で、表示装置１００は、判定結果が“ＮＯ”である場合には、一連の処理を終了して、検出範囲内における観察者の検出を待機する。
【００５９】
ステップ７０において、表示装置１００は、インタラクティブ操作を実行する。例えば、表示装置１００は、観察者の指示に従って表示画像を再表示する。なお、インタラクティブ操作は、表示画像の回転、表示画像の切替えなどである。
【００６０】
なお、表示装置１００は、観察者が手を指標画像と重なるように差し出したと判定された場合に、指標画像の表示形態を変更してもよい。表示形態の変更は、例えば、指標画像の縮小、指標画像の表示中止、指標画像の色変更、指標画像の透過度の変更などである。
【００６１】
（作用及び効果）
第１実施形態では、表示装置１００は、観察者が動作を開始すべき位置を示す指標画像を表示する。言い換えると、表示装置１００は、インタラクティブ操作を開始するための動作を開始すべき位置を示す指標画像を表示する。従って、観察者は、表示装置１００の操作性能を直感的に理解することが可能である。このように、指標画像の表示によって、観察者に分かりやすく表示装置１００の操作性能を指示する表示が実現される。
【００６２】
第１実施形態では、表示装置１００は、インタラクティブ操作に対応付けられた観察者の動作をガイドするガイド画像を表示する。従って、観察者は、インタラクティブ操作を容易に行うことができる。
【００６３】
［変更例１］
以下において、第１実施形態の変更例１について説明する。以下においては、第１実施形態に対する差異について主として説明する。
【００６４】
表示装置１００が投写型映像表示装置であるケースでは、表示装置１００によって表示される画像の表示サイズが可変である。ここで、表示画像に対する指標画像の相対的なサイズが不変である場合には、指標画像によって示される位置に観察者の一部（手）が位置する場合に、観察者の一部によって観察者から指標画像が隠れない可能性がある。
【００６５】
そこで、変更例１では、表示装置１００は、画像の表示サイズに対する指標画像の相対的なサイズを変更する。すなわち、表示装置１００は、観察者の一部によって観察者から指標画像が隠れるように、指標画像の相対的なサイズを変更する。
【表１】
2013080333.tif 000003
【００６６】
ここで、指標画像の絶対的なサイズ（幅）は、表１に示すように、観察者の目と観察者の手（開始位置２００Ｘ）との間の間隔、観察者の手の幅、観察者の目と投写面との間の距離（観察距離）によって定まる。すなわち、指標画像の絶対的なサイズ（幅）は、画像の表示サイズとは関係なく、上述したパラメータによって定まる。
【００６７】
従って、観察距離が一定であれば、画像の表示サイズが大きいほど、表示画像に対する指標画像の相対的なサイズ（比率）が小さくなる。
【００６８】
例えば、表１に示すように、５００ｍｍの観察距離で、１００インチの表示画像を見るケースでは、表示画像に対する指標画像の相対的なサイズ（幅）は、画像の表示サイズ（幅）の６％以下である。
【００６９】
なお、投写面に投写される画像の表示サイズについては、特開２０１１−１３９３３９号公報に記載されているように、投写面を撮像するカメラを用いて検出することが可能である。
【００７０】
［変更例２］
以下において、第１実施形態の変更例２について説明する。以下においては、第１実施形態に対する差異について主として説明する。
【００７１】
変更例２において、表示装置１００は、指標画像に対して観察者の一部（手）の相対的な位置が合っていない場合に、観察者の一部（手）の位置を移動すべき指示する指示画像を表示する。
【００７２】
具体的には、表示装置１００は、指示画像として、観察者の一部（手）の位置を示す画像を表示する。ここで、表示装置１００は、指標画像（例えば、白色）を表示するとともに、指標画像とは異なる色で指示画像（例えば、赤色）を表示する。
【００７３】
第１に、観察者の一部（手）が指標画像と重なっていない場合には、図１２に示すように、表示装置１００は、指標画像のみを白色で表示する。
【００７４】
第２に、観察者の一部（手）が指標画像に対して右側にずれている場合には、図１３に示すように、表示装置１００は、指標画像を白色で表示するとともに、指標画像とは異なる色で指示画像（例えば、赤色）を表示する。なお、観察者の一部（手）の高さが合っていれば、図１３に示すように、指示画像のサイズは、指標画像のサイズと同程度であることが好ましい。
【００７５】
第３に、観察者の一部（手）が指標画像に対して低すぎる場合には、図１４に示すように、表示装置１００は、指標画像を白色で表示するとともに、指標画像とは異なる色で指示画像（例えば、赤色）を表示する。また、表示装置１００は、指標画像よりも小さいサイズで指示画像を表示する。
【００７６】
第４に、観察者の一部（手）が指標画像に対して高すぎる場合には、図１５に示すように、表示装置１００は、指標画像を白色で表示するとともに、指標画像とは異なる色で指示画像（例えば、赤色）を表示する。また、表示装置１００は、指標画像よりも大きいサイズで指示画像を表示する。
【００７７】
なお、指示画像は、指標画像と同様の形状であることが好ましい。但し、指示画像は、指標画像と異なる形状（例えば、円形画像や楕円画像）であってもよい。
【００７８】
また、指示画像は、指標画像に対する観察者の手の位置のずれを修正するための文字列などであってもよい。
【００７９】
ここで、観察者の一部が指標画像に正確に重ならなくても、観察者の一部が指標画像にある程度近づけば、表示装置１００は、指標画像を表示してもよい。
【００８０】
［変更例３］
以下において、第１実施形態の変更例３について説明する。以下においては、第１実施形態に対する差異について主として説明する。
【００８１】
具体的には、変更例３では、表示装置１００は、観察者の手と指標画像とが重なるように、指標画像の表示位置を移動する。
【００８２】
（表示方法）
以下において、変更例３に係る表示方法について説明する。図１６は、変更例３に係る表示方法を示すフロー図である。図１６では、図１１と同様のステップについて同様の符号を付している。すなわち、図１６では、表示方法は、ステップ３０に代えて、ステップ３０Ａを有しており、ステップ３０Ａの後に、ステップ３５を有する。
【００８３】
ステップ３０Ａにおいて、表示装置１００は、観察者が手を差し出したか否かを判定する。但し、ここでは、指標画像に対する観察者の手の位置がずれている。表示装置１００は、判定結果が“ＹＥＳ”である場合には、ステップ３５の処理に移る。一方で、表示装置１００は、判定結果が“ＮＯ”である場合には、観察者が手を差し出されることの検出を待機する。
【００８４】
ステップ３５において、表示装置１００は、指示画像を表示する。例えば、表示装置１００は、観察者の手と指標画像とが重なるように、指標画像の表示位置を移動する。
【００８５】
［変更例４］
以下において、第１実施形態の変更例４について説明する。以下においては、第１実施形態に対する差異について主として説明する。
【００８６】
第１実施形態では、検出ユニット１１０は、表示装置１００を構成する投写型映像表示装置の本体とは別体として設けられる。これに対して、変更例４では、検出ユニット１１０は、表示装置１００を構成する投写型映像表示装置とは一体として設けられる。
【００８７】
具体的には、図１７に示すように、表示装置１００は、検出ユニット１１０と、本体ユニット３００と、連結ユニット４００とを有する。
【００８８】
本体ユニット３００は、表示装置１００を構成する投写型映像表示装置の本体である。本体ユニット３００は、上述した取得部１３０、表示制御部１４０及び表示部１５０（光変調素子及び投写ユニット）を有する。本体ユニット３００は、上述した操作制御部１２０を有していてもよい。但し、操作制御部１２０は、本体ユニット３００とは別体として設けられる装置（例えば、パーソナルコンピュータ）に設けられていてもよい。
【００８９】
本体ユニット３００は、取得部１３０、表示制御部１４０、表示部１５０（光変調素子及び投写ユニット）及び操作制御部１２０などを収容する筐体３００Ｘを有する。本体ユニット３００は、送信部３１０と、受信部３２０と、蓋体３３０と、蓋体３４０と、通気孔３５０と、投写窓３６０とを有する。
【００９０】
送信部３１０は、アクティブシャッタメガネに対して、表示装置１００とアクティブシャッタメガネとの同期を取るための同期信号などの信号を送信するエミッタである。送信部３１０は、筐体３００Ｘの上面に設けられる。これによって、表示装置１００が床面（水平面）に映像を投写するケースだけではなくて、表示装置１００が壁面（垂直面）に映像を投写するケースでも、観察者が装着するアクティブシャッタに同期信号などの信号が到達する。
【００９１】
受信部３２０は、表示装置１００のリモートコントローラから信号を受信する。受信部３２０は、筐体３００Ｘを構成する側面のうち、投写窓３６０と同じ側面に設けられる。これによって、表示装置１００が床面（水平面）に映像を投写するケースだけではなくて、表示装置１００が壁面（垂直面）に映像を投写するケースでも、観察者が操作するリモートコントローラから信号を受信することができる。
【００９２】
蓋体３３０は、マウスやキーボードを収容する収容スペースの蓋体である。収容スペースは、筐体３００Ｘ内に設けられる。蓋体３３０は、ネジ３３１によって筐体３００Ｘに固定される。ネジ３３１の頭は、コインなどの薄板を差し込む切れ込みを有しており、コインなどの薄板でネジ３３１を回転可能であることが好ましい。
【００９３】
なお、マウスやキーボードは、無線マウスや無線キーボードであることが好ましい。また、マウスやキーボードは、本体ユニット３００のメンテナンス時に、本体ユニット３００を操作するためのインタフェースである。
【００９４】
蓋体３４０は、取得部１３０、表示制御部１４０、表示部１５０（光変調素子及び投写ユニット）及び操作制御部１２０などを収容する収容スペースの蓋体である。収容スペースは、筐体３００Ｘ内に設けられる。蓋体３４０は、ネジ３４１によって筐体３００Ｘに固定される。ネジ３４１の頭は、コインなどの薄板を差し込む切れ込みを有しており、コインなどの薄板でネジ３４１を回転可能であることが好ましい。なお、蓋体３４０は、特に、表示部１５０のフォーカスやズームを調整する際に開放される。
【００９５】
通気孔３５０は、筐体３００Ｘ内の熱を外部に放出するための開口である。例えば、表示制御部１４０、表示部１５０（光変調素子及び投写ユニット）及び操作制御部１２０などが生じる熱は、通気孔３５０から外部に放出される。
【００９６】
投写窓３６０は、表示部１５０（ここでは、投写ユニット）から出射される光を透過する窓である。投写窓３６０は、透明部材によって構成されていてもよく、開口によって構成されていてもよい。
【００９７】
連結ユニット４００は、検出ユニット１１０と本体ユニット３００とを連結する。具体的には、連結ユニット４００は、本体ユニット３００に固定されており、検出ユニット１１０の向きを調整可能に、検出ユニット１１０を支持する。例えば、連結ユニット４００は、チルト方向における検出ユニット１１０の角度を調整可能に、検出ユニット１１０を支持する。また、連結ユニット４００は、パン方向における検出ユニット１１０の角度を調整可能に、検出ユニット１１０を支持してもよい。
【００９８】
これによって、表示装置１００が床面（水平面）に映像を投写するケースだけではなくて、表示装置１００が壁面（垂直面）に映像を投写するケースでも、観察者を検出しやすい方向へ検出ユニット１１０を向けることができる。
【００９９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１００】
実施形態では、立体画像を表示する表示装置について例示した。しかしながら、実施形態はこれに限定されない。表示装置は、２次元の画像を表示する装置であってもよい。
【０１０１】
実施形態では、表示装置として、床面（水平面）に映像を投写する投写型映像表示装置を例示した。しかしながら、実施形態はこれに限定されない。表示装置は、壁面（垂直面）に映像を投写する投写型映像表示装置であってもよく、斜めの面に映像を投写する投写型映像表示装置であってもよい。或いは、表示装置は、プラズマディスプレイ、液晶テレビなどの装置であってもよい。
【０１０２】
検出ユニットが観察者を検出してから指標画像を表示するまでの間に、一定時間の間隔を設けてもよい。また、指標画像を表示してから指示画像を表示するまでの間に、一定時間の間隔を設けてもよい。また、観察者の手が指標画像と重なったことを検出してからガイド画像を表示するまでの間に、一定時間の間隔を設けてもよい。操作を熟知している観察者にとっては、指標画像、指示画像、ガイド画像の表示が煩わしく感じることがあるためである。いずれも、１〜１０秒程度の間隔を設けることが好ましい。
【符号の説明】
【０１０３】
１０…指標画像、２０…表示画像、３０…ガイド画像、１００…表示装置、１１０…検出ユニット、１２０…操作制御部、１３０…取得部、１４０…表示制御部、１５０…表示部、２００Ｘ…開始位置、３００…本体ユニット、３００Ｘ…筐体、３１０…送信部、３２０…受信部、３３０…蓋体、３４０…蓋体、３５０…通気孔、３６０…投写窓、４００…連結ユニット
【図１】
2013080333.tif 000004
【図２】
2013080333.tif 000005
【図３】
2013080333.tif 000006
【図４】
2013080333.tif 000007
【図５】
2013080333.tif 000008
【図６】
2013080333.tif 000009
【図７】
2013080333.tif 000010
【図８】
2013080333.tif 000011
【図９】
2013080333.tif 000012
【図１０】
2013080333.tif 000013
【図１１】
2013080333.tif 000014
【図１２】
2013080333.tif 000015
【図１３】
2013080333.tif 000016
【図１４】
2013080333.tif 000017
【図１５】
2013080333.tif 000018
【図１６】
2013080333.tif 000019
【図１７】
2013080333.tif 000020